Podtech/llm-jp-corpus-v4-ja_patent huggingface dataset:
【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
皮膚及び／又は皮膚付属器官の老化の徴候を低減又は予防するための有効成分としての、ケウイン、又はその前駆体若しくは誘導体の化粧料使用。
【請求項２】
前記ケウイン、又はその前駆体若しくは誘導体が、皮膚のすじ及びしわ及び／又はたるみ、並びに／或いは皮膚の弾力性及び／又は皮膚の緊張度の不足、並びに／或いは皮膚の薄化、並びに／或いは土気色の及び／又は羊皮紙様の顔貌、並びに／或いは皮膚の肌理のむら及び年齢によるしみなどの色素沈着のむらを、低減又は予防することが意図されている、請求項１記載の使用。
【請求項３】
前記ケウイン又はその前駆体若しくは誘導体が、ケウイン、ケウオシン及びエポキシケウインからなる群より選択されることを特徴とする、請求項１又は２記載の使用。
【請求項４】
前記ケウイン、その前駆体又は誘導体が、細菌エキス若しくは植物エキス又は樹液の形態であり、該エキス又は該樹液は、ケウイン、その前駆体若しくは誘導体が富むか又は富化されていることを特徴とする、請求項１から請求項３のいずれか一項記載の使用。
【請求項５】
生理的に許容し得る媒質を含み、皮膚及び／又は皮膚付属器官の老化の徴候を低減又は予防することが意図される化粧料組成物を調製するための有効成分としての、ケウイン、又はその前駆体若しくは誘導体の使用。
【請求項６】
前記ケウイン、その前駆体又は誘導体が、化粧料組成物１ｍｌ又は１ｇあたり０．１μｇ〜１００μｇ、好ましくは化粧料組成物１ｍｌ又は１ｇあたり１〜５μｇの量で組成物中に含有されることを特徴とする、請求項５記載の使用。
【請求項７】
生理的に許容し得る媒質に、ケウイン又はその前駆体若しくは誘導体を有効成分として含む化粧料組成物。
【請求項８】
前記ケウイン、その前駆体又は誘導体が、ケウイン、ケウオシン及びエポキシケウインからなる群より選択されることを特徴とする、請求項７記載の化粧料組成物。
【請求項９】
前記化粧料組成物が細菌エキス若しくは植物エキス又は樹液を含み、該エキス又は該樹液は、ケウイン、その前駆体若しくは誘導体が富むか又は富化されていることを特徴とする、請求項７記載の化粧料組成物。
【請求項１０】
前記ケウイン、その前駆体又は誘導体が、化粧料組成物１ｍｌ又は１ｇあたり０．１μｇ〜１００μｇ、好ましくは化粧料組成物１ｍｌ又は１ｇあたり１〜５μｇの量で組成物に含有されることを特徴とする、請求項７から請求項９のいずれか一項記載の化粧料組成物。
【請求項１１】
前記ケウイン、その前駆体又は誘導体が、共同因子又はビタミン、例えばビタミンＣ若しくはトコフェロールと共に組成物中に含有されることを特徴とする、請求項７から請求項１０のいずれか一項記載の化粧料組成物。
【請求項１２】
セラム、ローション剤、クリーム、ミルク、水若しくはオイルゲル、ヒドロゲル、マスク、スティック、パッチ、オイル、軟膏、ワックス、フォーム剤、トナー、ケア液剤、香膏、ファンデーション、スプレー、アイシャドウ、痩身用クリーム、口紅、ペースト、軟膏剤又はシャンプー若しくはコンディショナーの形態にあることを特徴とする、請求項７から請求項１１のいずれか一項記載の化粧料組成物。
【請求項１３】
局所適用のために製剤化されていることを特徴とする、請求項７から請求項１２のいずれか一項記載の化粧料組成物。
【請求項１４】
皮膚及び／又は皮膚付属器官の老化の徴候を予防及び／又は治療する化粧的処置方法であって、請求項７から請求項１３のいずれか一項記載の化粧料組成物を皮膚及び／又は皮膚付属器官に適用することを含む方法。
【手続補正２】
【補正対象書類名】明細書
【補正対象項目名】００１６
【補正方法】変更
【補正の内容】
【００１６】
化粧料組成物は、セラム（serum）、ローション剤、クリーム、ミルク、水若しくはオイルゲル、ヒドロゲル、マイクロエマルション、ナノエマルション、マスク、スティック、パッチ、オイル、軟膏、ワックス、フォーム剤、トナー、ケア液剤、香膏、ファンデーション、スプレー、アイシャドウ、痩身用クリーム、口紅、ペースト、軟膏剤又はシャンプー若しくはコンディショナーの形態で、又はケウイン及びその誘導体の使用を可能とするいかなる好適な均一若しくは不均一な形態であってもよい。
【手続補正３】
【補正対象書類名】明細書
【補正対象項目名】００３３
【補正方法】変更
【補正の内容】
【００３３】
本発明によれば、化粧料組成物は、ケア又はメーキャップ用製品であり、例えばセラム、ローション剤、クリーム、ミルク、水若しくはオイルゲル、ヒドロゲル、マスク、スティック、パッチ、オイル、軟膏、ワックス、フォーム剤、トナー、ケア液剤、香膏、ファンデーション、スプレー、アイシャドウ、口紅、ペースト、軟膏剤、シャンプー又はコンディショナーの形態にある。
【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
磁性微粒子イメージング（MPI）を用いた消化管の診断検査用経口造影剤であって、
前記造影剤が容器により封入されたマイクロカプセルを有し、前記マイクロカプセルがコロイド溶液中に磁性微粒子を有し、前記容器が0.6 μm〜300 μmの直径を有することを特徴とする、磁性微粒子イメージング（MPI）を用いた消化管の診断検査用経口造影剤。
【請求項２】
前記容器が5 μm〜100 μmの直径を有することを特徴とする、請求項1に記載の造影剤。
【請求項３】
前記マイクロカプセルが、3 nm〜20 nmの大きさの少なくとも3つの単磁区粒子、又は10 nm〜300 nmの直径を有する少なくとも2つの多結晶磁性酸化鉄コアを有し、前記マイクロカプセルが生分解性マトリクスを含むことを特徴とする、請求項1又は2に記載の造影剤。
【請求項４】
前記マイクロカプセルの直径が0.5 μm〜50 μmであることを特徴とする、請求項1〜3のいずれか一項に記載の造影剤。
【請求項５】
前記マイクロカプセルの直径が3 μm〜10 μmであることを特徴とする、請求項1〜4のいずれか一項に記載の造影剤。
【請求項６】
上記マイクロカプセル内の生分解性マトリクスが、合成ポリマー又は合成コポリマー、デンプン、デキストラン、シクロデキストラン、脂肪酸、多糖、レシチン、若しくはモノグリセリド、ジグリセリド若しくはトリグリセリド、及び／又はそれらの誘導体、又はそれらの混合物を含むことを特徴とする、請求項1〜5のいずれか一項に記載の造影剤。
【請求項７】
マグネタイト、マグヘマイト、又はそれらの混合物に加えて、上記磁性微粒子が希土類金属イオン若しくは遷移金属イオン、又は合金をも含むことを特徴とする、請求項1〜6のいずれか一項に記載の造影剤。
【請求項８】
上記磁性微粒子が、0.01 mmol/L〜1 mol/L、又は1 mmol/L〜100 mmol/Lの鉄濃度を有することを特徴とする、請求項1〜7のいずれか一項に記載の造影剤。
【請求項９】
増殖性疾患、炎症性疾患及び自己免疫疾患、感染性疾患、ホルモン障害及び／又は遺伝性疾患を含む群から選択される、消化管における疾患の診断用の磁性微粒子の検出による画像化（MPI）に使用される診断剤の製造に対する、請求項1〜8のいずれか一項に記載の造影剤の使用。
【請求項１０】
上記増殖性疾患が、腫瘍、前癌状態、異形成、神経内分泌腫瘍、子宮内膜症及び／又は化生を含む群から選択されることを特徴とする、請求項9に記載の薬学的に許容可能なコロイド懸濁液の使用。
【請求項１１】
上記炎症性疾患又は自己免疫疾患が、炎症性腸疾患、クローン病、及び／又は全身性エリテマトーデスを含む群から選択されることを特徴とする、請求項9又は10に記載の薬学的に許容可能なコロイド懸濁液の使用。
【請求項１２】
上記感染性疾患が、寄生虫症、細菌症、及び／又はウイルス性疾患を含む群から選択されることを特徴とする、請求項9〜11のいずれか一項に記載の薬学的に許容可能なコロイド懸濁液の使用。
【請求項１３】
前記ホルモン障害が、糖代謝、脂質代謝、タンパク質代謝、性発達及び生殖、水−塩バランス、成長及び／又は細胞形成の障害を含む群から選択されることを特徴とする、請求項9〜12のいずれか一項に記載の薬学的に許容可能なコロイド懸濁液の使用。
【請求項１４】
前記遺伝性疾患が、常染色体劣性、常染色体優性、生殖体の及び／又はミトコンドリアの、及び／又は染色体外の遺伝性疾患、又は遺伝的素因をたどることができる疾患を含む群から選択されることを特徴とする、請求項9〜13のいずれか一項に記載の薬学的に許容可能なコロイド懸濁液の使用。
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
芝生における望ましくない植生を防除する方法であって、（ａ）フロラスラム、（ｂ）２，４−Ｄまたは農業上許容されるその塩もしくはエステル、および（ｃ）フルロキシピルまたは農業上許容されるその塩もしくはエステルの相乗効果的な量を含む組成物を、望ましくない植生を防除する芝生に施用するステップを含み、前記（ａ）、（ｂ）及び（ｃ）の組成物は、（ａ）、（ｂ）及び（ｃ）の各々よりも効果的である、方法。
【請求項２】
前記（ａ）フロラスラムが０．００１〜約１０．３ｇ ａｉ／ｈａの施用量で施用され、前記（ｂ）２，４−Ｄまたは農業上許容されるその塩もしくはエステルが約０．１１〜約１０３８ｇ ａｅ／ｈａの施用量で施用され、前記（ｃ）フルロキシピルまたは農業上許容されるその塩もしくはエステルが約０．０１〜約１０５．４ｇ ａｅ／ｈａの施用量で施用される、請求項１に記載の方法。
【請求項３】
前記（ａ）フロラスラムが約０．００１ｇ ａｉ／ｈａ〜約５．２ｇ ａｉ／ｈａの施用量で施用され、前記（ｂ）２，４−Ｄまたは農業上許容されるその塩もしくはエステルが約０．１１〜約５２０ｇ ａｅ／ｈａの施用量で施用され、前記（ｃ）フルロキシピルまたは農業上許容されるその塩もしくはエステルが約０．０１〜約５３ｇ ａｅ／ｈａの施用量で施用される、請求項２に記載の方法。
【請求項４】
前記（ａ）フロラスラムが約２．３ｇ ａｉ／ｈａ〜約５．２ｇ ａｉ／ｈａの施用量で施用され、前記（ｂ）２，４−Ｄまたは農業上許容されるその塩もしくはエステルが約２６０〜約５２０ｇ ａｅ／ｈａの施用量で施用され、前記（ｃ）フルロキシピルまたは農業上許容されるその塩もしくはエステルが約２７〜約５３ｇ ａｅ／ｈａの施用量で施用される、請求項２に記載の方法。
【請求項５】
（ａ）と（ｂ）との重量比が、約１：５０〜約１：２００であり、（ａ）と（ｃ）との重量比が約１：５〜約１：２０である、請求項１に記載の方法。
【請求項６】
（ａ）と（ｂ）との重量比が、約１：８０〜約１：１４０であり、（ａ）と（ｃ）との重量比が約１：７〜約１：１３である、請求項１に記載の方法。
【請求項７】
前記（ａ）フロラスラム、（ｂ）２，４−Ｄまたは農業上許容されるその塩もしくはエステル、および（ｃ）フルロキシピルまたは農業上許容されるその塩もしくはエステルのみが、施用される除草活性成分である、請求項１に記載の方法。
【請求項８】
前記望ましくない植生が、カキドオシ（ＧＬＥＨＥ）、ホワイトクローバー（ＴＲＦＲＥ）、タンポポ（ＴＡＲＯＦ）、またはコニシキソウ（ＥＰＨＳＵ）である、請求項１に記載の方法。
【請求項９】
（ａ）対（ｂ）対（ｃ）の重量比が、約１対１１０対１０である、請求項１に記載の方法。
【請求項１０】
前記組成物の構成成分が、個別に施用される、請求項１に記載の方法。
【請求項１１】
芝生に施用される除草組成物であって、（ａ）フロラスラム、（ｂ）２，４−Ｄまたは農業上許容されるその塩もしくはエステル、および（ｃ）フルロキシピルまたは農業上許容されるその塩もしくはエステルの相乗効果的な量を含み、（ａ）、（ｂ）及び（ｃ）を含む前記組成物は、（ａ）、（ｂ）及び（ｃ）を単独で含む組成物よりも効果的である、
芝生に施用される除草組成物。
【請求項１２】
（ａ）と（ｂ）との重量比が、約１：５０〜約１：２００であり、（ａ）と（ｃ）との重量比が約１：５〜約１：２０である、請求項１１に記載の除草組成物。
【請求項１３】
（ａ）と（ｂ）との重量比が、約１：８０〜約１：１４０であり、（ａ）と（ｃ）との重量比が約１：７〜約１：１３である、請求項１２に記載の除草組成物。
【請求項１４】
（ａ）対（ｂ）対（ｃ）の重量比が、約１対１１０対１０である、請求項１３に記載の除草組成物。
【請求項１５】
前記組成物の構成成分が、マルチパートな除草剤システムの一部として施用される、請求項１に記載の方法。
【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
哺乳動物の中枢神経系（脳および／または脊髄）中のグリオ−血管経路（以下、「グリンファティック系」）の機能を測定するための方法であって：
中枢神経系の画像化を行うステップ；および
中枢神経系中の脳脊髄液−間質液（以下、「ＣＳＦ−ＩＳＦ」）の交換を測定するステップ、
を含む前記方法。
【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
造血幹細胞移植（ＨＳＣＴ）を受ける患者の移植片対宿主病（ＧＶＨＤ）を治療および／または予防する方法に使用される、化合物を含む医薬であって、
前記方法が
（ｉ）前記患者を前処置し、それにより実質的にすべての骨髄および免疫系を破壊する第１のステップ；ならびに
（ｉｉ）ドナーからの造血幹細胞を前記患者に移植する第２のステップ
を含み、
前記化合物が、式（ＩＩ）
【化１３】
2016509050.tif 000001
の化合物もしくは薬学的に許容されるその塩；
または下記式（ＩＩａ）、（ＩＩｂ）：
【化１４】
2016509050.tif 000002
のそのホスフェート誘導体もしくは薬学的に許容されるその塩であり、
前記前処置は、有効量の化学療法剤による前記患者の治療および／または前記患者を高用量化学放射線療法により治療することにより実施される、医薬。
【請求項２】
前記前処置が、強度軽減移植前治療（ＲＩＣ）、化学療法処置および全身照射（ＴＢＩ）からなる骨髄破壊的前処置から選択される、請求項１に記載の医薬。
【請求項３】
ＴＢＩが１×２００ｃＧｙ／日で実施される、請求項２に記載の医薬。
【請求項４】
前記前処置が、フルダラビン、ブスルファン、メトトレキサート、シクロスポリンＡおよびシクロホスファミドから選択される１つまたは複数の薬剤を含む高用量化学療法であり、例えば、３０ｍｇ／ｍ２／日で２日間または３日間のフルダラビンである、請求項２に記載の医薬。
【請求項５】
前記化合物による前記患者の治療が、前処置の５日前、または前処置の３日前、または前処置の１日前に開始される、請求項１に記載の医薬。
【請求項６】
前記化合物が、１日あたり３ｍｇの用量で投与される、請求項１〜５のいずれかに記載の医薬。
【請求項７】
前記化合物が、１１１日間、例えば、１日目から１１１日目まで投与される、請求項６に記載の医薬。
【請求項８】
前記化合物が、２−アミノ−２−［４−（３−ベンジルオキシフェニルチオ）−２−クロロフェニル］エチル−プロパン−１，３−ジオール、または薬学的に許容されるその塩、例えば塩酸塩である、請求項１〜７のいずれかに記載の医薬。
【請求項９】
２−アミノ−２−［４−（３−ベンジルオキシフェニルチオ）−２−クロロフェニル］エチル−プロパン−１，３−ジオール、または薬学的に許容されるその塩を含む、ＧＶＨＤの治療薬であって、１日あたり３ｍｇの前記化合物または塩が、例えば１１１日間、患者に投与される、治療薬。
【請求項１０】
前記化合物または塩が、２−アミノ−２−［４−（３−ベンジルオキシフェニルチオ）−２−クロロフェニル］エチル−プロパン−１，３−ジオール塩酸塩である、請求項９に記載の治療薬。
【手続補正２】
【補正対象書類名】明細書
【補正対象項目名】００７３
【補正方法】変更
【補正の内容】
【００７３】
【表１】
2016509050.tif 000003
本発明は以下の態様を含み得る。
［１］
造血幹細胞移植（ＨＳＣＴ）を受ける患者の移植片対宿主病（ＧＶＨＤ）を治療および
／または予防する方法であって、
（ｉ）前記患者に有効量の式（Ｉ）の化合物または薬学的に許容されるその塩を投与すること；
（ｉｉ）前記患者を前処置し、それにより実質的にすべての骨髄および免疫系を破壊すること；ならびに
（ｉｉｉ）ドナーからの造血幹細胞を前記患者に移植すること
を含み、前記式（Ｉ）の化合物または薬学的に許容されるその塩が、
【化１１】
2016509050.tif 000004
であり、式中、
Ｒ２は、Ｈ、ハロゲン、トリハロメチル、Ｃ１〜４アルコキシ、Ｃ１〜７アルキル、フェネチルまたはベンジルオキシであり；
Ｒ３は、Ｈ、ハロゲン、ＣＦ３、ＯＨ、Ｃ１〜７アルキル、Ｃ１〜４アルコキシ、ベンジルオキシ、フェニルまたはＣ１〜４アルコキシメチルであり；
Ｒ４およびＲ５のそれぞれは、独立してＨまたは式（ａ）
【化１２】
2016509050.tif 000005
の残基であり、式中、Ｒ８およびＲ９のそれぞれは、独立してＨ、またはハロゲンによって任意に置換されたＣ１〜４アルキルであり；
ｎは１から４の整数であり；
Ｒ６は、水素、ハロゲン、Ｃ１〜７アルキル、Ｃ１〜４アルコキシまたはトリフルオロメチルである、方法。
［２］
式（Ｉ）の前記化合物が、式（ＩＩ）
【化１３】
2016509050.tif 000006
の化合物もしくは薬学的に許容されるその塩；
または下記式（ＩＩａ）、（ＩＩｂ）：
【化１４】
2016509050.tif 000007
のそのホスフェート誘導体もしくは薬学的に許容されるその塩である、請求項１に記載の方法。
［３］
式（Ｉ）の前記化合物が、式（ＩＩ）
【化１５】
2016509050.tif 000008
の化合物または薬学的に許容されるその塩である、請求項１に記載の方法。
［４］
最初に請求項１に記載の前処置をされ、その後、ドナーからの造血幹細胞移植（ＨＳＣＴ）を受けた患者のＧＶＨＤの治療および／または予防に使用するための、請求項１に記載の式（Ｉ）の化合物または薬学的に許容されるその塩。
［５］
請求項２に記載の式（ＩＩ）、（ＩＩａ）および／もしくは（ＩＩｂ）の化合物または薬学的に許容されるその塩である、請求項４に記載の使用のための化合物。
［６］
前記前処置が、
強度軽減移植前治療（ＲＩＣ）：
例えば、一般に３０ｍｇ／ｍ２／日で３日間のフルダラビンまたは別の化学療法剤に続く、一般に１×２００ｃＧｙ／日の全身照射（ＴＢＩ）によるミニシアトル式前処置；
および
骨髄破壊的前処置、
例えば、高用量化学療法および全身照射（ＴＢＩ）は、一般に施設の実務に適合した国のガイドラインに従って行われ、フルダラビン、ブスルファン、メトトレキサート、シクロスポリンＡおよびシクロホスファミドの投与を含むこと
から選択される、先行請求項のいずれかに記載の方法または化合物。
［７］
前記前処置が、フルダラビン、ブスルファン、メトトレキサート、シクロスポリンＡおよびシクロホスファミドから選択される１つまたは複数の薬剤を含む高用量化学療法である、先行請求項のいずれかに記載の方法または化合物。
［８］
前記前処置が、国のガイドラインに従った全身照射（ＴＢＩ）である、先行請求項のいずれかに記載の方法または化合物。
［９］
造血幹細胞移植（ＨＳＣＴ）が、前処置に引き続いて、例えば、前処置の直後または前処置の０〜１日後または前処置の１〜８日後または１〜１０日後に行われる、先行請求項のいずれかに記載の方法または化合物。
［１０］
請求項１に記載の式（Ｉ）の化合物による前記患者の治療が、前処置の５日前、特に前処置の３日前およびとりわけ前処置の１日前に開始される、先行請求項のいずれかに記載の方法または化合物。
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
有効量の芽胞形成性細菌個体群および製薬学的に許容される賦形剤を含む医薬組成物であって、
精製された個体群が、
（ｉ）クロストリジウム・ディフィシル（Ｃｌｏｓｔｒｉｄｉｕｍ  ｄｉｆｆｉｃｉｌｅ）によって誘導される下痢または哺乳類レシピエント対象における潰瘍性大腸炎の少なくとも１つの症状の重症度を治療、予防または低減する有効量、および（ｉｉ）哺乳類レシピエント対象において、治療用組成物に存在しない細菌の少なくとも１種を増加させる有効量、および／または（ｉｉｉ）治療用組成物に存在するが、治療前の哺乳類レシピエント対象には存在しない細菌の少なくとも１種を生着させる有効量、で存在する、医薬組成物。
【請求項２】
芽胞形成性細菌個体群および製薬学的に許容される賦形剤を含み、クロストリジウム・ディフィシル（Ｃｌｏｓｔｒｉｄｉｕｍ  ｄｉｆｆｉｃｉｌｅ）感染によって誘導される腸内菌共生バランス失調または対象における潰瘍性大腸炎の少なくとも１つの症状の重症度を治療、予防または低減するための医薬組成物であって、
芽胞形成性細菌個体群が、ａ）哺乳類ドナーからの糞便物質を用意する工程、および、ｂ）糞便物質を処理する工程により生成され、それにより芽胞形成性細菌が精製され、
精製された個体群が、ｉ）クロストリジウム・ディフィシル（Ｃｌｏｓｔｒｉｄｉｕｍ  ｄｉｆｆｉｃｉｌｅ）によって誘導される腸内菌共生バランス失調または哺乳類レシピエント対象における潰瘍性大腸炎の少なくとも１つの症状の重症度を治療、予防または低減する有効量、およびｉｉ）哺乳類レシピエント対象において、治療用組成物に存在しない細菌の少なくとも１種を増加させる有効量、および／または、ｉｉｉ）治療用組成物に存在するが、治療前の哺乳類レシピエント対象に存在していない細菌の少なくとも１種を生着させるための有効量、で存在する、医薬組成物。
【請求項３】
前記処理が、エタノール処理または加熱処理である、請求項２に記載の医薬組成物。
【請求項４】
前記処理が、５０％〜７０％エタノールでインキュベーションする工程を含む、請求項２に記載の治療用組成物。
【請求項５】
前記処理が、８０℃で３０分間インキュベーションする工程を含む、請求項２に記載の医薬組成物。
【請求項６】
少なくとも１種の芽胞形成性細菌個体群が、
ａ）表５から選択される、
ｂ）Ａｃｅｔｉｖｉｂｒｉｏ  ｅｔｈａｎｏｌｇｉｇｎｅｎｓ芽胞の精製個体群である、または
ｃ）配列番号３７４、３８１、５４３、５５６、５７２、６０１、６４６、６５２、６５９、６７３、６７４、７７４、８３９、８４３、８４５、８４７、８４８、８５６、８７４、８８０、８８６、１０４５、１０４９、１０５６、１４１５、１５９１、１６５５、１６５７、１６７０および１８９６からなる群から選択される配列と少なくとも９７％の同一性がある１６ＳｒＤＮＡを含む、請求項１〜５の何れか１項に記載の医薬組成物。
【請求項７】
少なくとも２種の芽胞形成性細菌個体群のそれぞれが、配列番号３７４、３８１、５４３、５５６、５７２、６０１、６４６、６５２、６５９、６７３、６７４、７７４、８３９、８４３、８４５、８４７、８４８、８５６、８７４、８８０、８８６、１０４５、１０４９、１０５６、１４１５、１５９１、１６５５、１６５７、１６７０および１８９６からなる群から選択される配列と少なくとも９７％の同一性がある１６ＳｒＤＮＡを含む、請求項１〜５の何れか１項に記載の医薬組成物。
【請求項８】
である、請求項１〜７の何れか１項に記載の医薬組成物。
【請求項９】
前記組成物が１用量当たり少なくとも約１×１０４の芽胞を含むか、前記組成物が１用量当たり少なくとも約１×１０３、１×１０４、１×１０５、１×１０６、１×１０７、１×１０８、１×１０９、１×１０１０、または１×１０１０超の芽胞を含む、請求項１〜８の何れか１項に記載の医薬組成物。
【請求項１０】
前記組成物の投与により、対象の胃腸管に存在する微生物叢の多様性を調節する、請求項１〜９の何れか１項に記載の医薬組成物。
【請求項１１】
前記芽胞形成性細菌個体群が、ウイルス、細菌、真核生物性寄生虫、蠕虫、ファージ、マイコプラズマ属、トキソプラズマ属、または真菌の少なくとも１種を検出可能なレベルで実質的に含まない、請求項１〜１０の何れか１項に記載の医薬組成物。
【請求項１２】
前記検出可能なレベルが、ｑＰＣＲによって検出される、請求項１１に記載の医薬組成物。
【請求項１３】
前記芽胞形成性細菌個体群が、糞便物質に由来し、糞便物質の残存生息環境産物を実質的に枯渇しており、残存生息環境産物が、無細胞物質、残存する繊維、ＤＮＡ、ウイルス外被物質、生育不能物質、および哺乳類ドナー由来の真核細胞からなる群から任意に選択される、請求項２〜１２の何れか１項に記載の医薬組成物。
【請求項１４】
前記対象が、ヒト対象である、請求項１〜１３の何れか１項に記載の医薬組成物。
【請求項１５】
経口送達用に製剤化された、請求項１〜１４の何れか１項に記載の医薬組成物。
【請求項１６】
クロストリジウム・ディフィシル（Ｃｌｏｓｔｒｉｄｉｕｍ  ｄｉｆｆｉｃｉｌｅ）感染によって誘導される腸内菌共生バランス失調またはヒト対象における潰瘍性大腸炎の少なくとも１つの症状の重症度を治療、予防または低減するための薬剤の製造における、請求項１〜１５の何れか１項に記載の医薬組成物の使用。
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
核磁気共鳴影像法（ＭＲＩ）またはコンピューター断層撮影法（ＣＴ）を用いて可視化される、造影剤のコアを含む骨生体特異的な薬剤であって、前記造影剤のコアが、骨−標的ペプチドで機能化された、ポリマーシェルによって囲まれ、前記ペプチドが、使用時、骨への前記生体特異的な薬剤を標的とする、骨生体特異的な薬剤。
【請求項２】
前記造影剤のコアの平均直径が５ｎｍ〜３０ｎｍである、請求項１に記載の生体特異的な薬剤。
【請求項３】
前記造影剤のコアが
金属材料を含む；
磁性材料を含み、およびＭＲＩ造影剤である；または
鉄、ニッケル、コバルトもしくはジスプロシウムまたは１以上のこれらの元素を含む、酸化物もしくは合金のような化合物であり、この際前記造影剤のコアがマグネタイト（Ｆｅ３Ｏ４）を含んでもよい、
請求項１または２に記載の生体特異的な薬剤。
【請求項４】
前記造影剤のコアが、非磁性材料を含み、ならびにＭＲＩ造影剤およびＣＴ造影剤の両方であり、この際前記造影剤のコアが、ガドリニウム、金、ヨウ素またはボロサルフェート（ｂｏｒｏｓｕｌｐｈａｔｅ）を含んでもよい、請求項１または２に記載の生体特異的な薬剤。
【請求項５】
前記ポリマーシェルが、
ポリペプチド、荷電タンパク質、多糖または核酸を含む；
キトサン、コラーゲン、ゼラチン、ヒアルロン酸、ポリ（エチレングリコール）ポリ（乳酸）、ポリ（グルコール酸）、ポリ（ε−カプロラクトン）およびポリ（アクリル酸）を含む生体適合性の天然または合成ポリマーを含む；
無水コハク酸で誘導体化されている；または
骨への生体特異的な薬剤を標的とする、
請求項１〜４のいずれか１項に記載の生体特異的な薬剤。
【請求項６】
前記骨−標的ペプチドが、
例えば骨芽細胞、骨細胞、破骨細胞、骨前駆細胞、破骨前駆細胞または骨ライニング細胞のような、排他的に骨に存在する細胞への生体特異的な薬剤を標的とする；
例えばヒドロキシアパタイトのような、骨ミネラル相への生体特異的な薬剤を標的とする；
ＲＡＮＫＬ−誘導破骨細胞分化および活性を減少または抑制するために、ＲＡＮＫに結合することによりＯＰＧをミミックするアミノ酸配列を含む；
配列番号１〜１５を含む；または
環化している、
請求項１〜５のいずれか１項に記載の生体特異的な薬剤。
【請求項７】
前記骨−標的ペプチドが、共有結合により前記骨生体特異的な薬剤の前記ポリマーシェルに結合しており、この際前記ペプチドがカルボジイミドの化学的性質を用いて前記ポリマーシェルに共有結合していてもよい、請求項１〜６のいずれか１項に記載の生体特異的な薬剤。
【請求項８】
前記生体特異的な薬剤が、前記骨−標的ペプチドの存在により骨へと運ばれる、生体活性化合物を含み、この際前記生体活性化合物が、色素、電気化学メディエータ、タンパク質、ペプチド、化学化合物（例えば、薬）、遺伝物質（例えば、オリゴヌクレオチド、ＤＮＡ、ＲＮＡ）、小分子、抗体、または酵素から構成される分子の群から選択されてもよい、請求項１〜７のいずれか１項に記載の生体特異的な薬剤。
【請求項９】
前記生体特異的な薬剤の平均直径が１０００ｎｍ未満である、または１００〜４５０ｎｍである、請求項１〜８のいずれか１項に記載の生体特異的な薬剤。
【請求項１０】
診断に用いられる、請求項１〜９のいずれか１項に記載の骨生体特異的な薬剤。
【請求項１１】
ＭＲＩ生体標識としてのまたはＣＴ生体標識としての、請求項１〜９のいずれか１項に記載の骨生体特異的な薬剤の使用。
【請求項１２】
請求項１〜９のいずれか１項に記載の骨生体特異的な薬剤を含む、生体標識。
【請求項１３】
請求項１〜９のいずれか１項に記載の骨生体特異的な薬剤の使用を含む、ＭＲＩまたはＣＴ画像検査法。
【請求項１４】
治療に用いられる、好ましくは薬剤として用いられる、請求項１〜９のいずれか１項に記載の骨生体特異的な薬剤。
【請求項１５】
骨疾患を治療する、予防するまたは改善することに用いられる、請求項１〜９のいずれか１項に記載の骨生体特異的な薬剤。
【請求項１６】
前記骨疾患が、骨吸収、骨腫瘍の治療、パジェット病、変形性関節症、骨粗しょう症、骨肉腫、骨減少症ならびに溶骨性および造骨性の表現型などを含む骨転移を含む、請求項１５に記載の骨生体特異的な薬剤。
【請求項１７】
請求項１〜９のいずれか１項に記載の骨生体特異的な薬剤、および薬学的に許容されるベヒクルを含む、薬剤組成物。
【請求項１８】
請求項１〜９のいずれか１項に記載の治療上有効な量の骨生体特異的な薬剤と、薬学的に許容されるベヒクルとを接触させることを有する、請求項１７に記載の組成物の製造方法。
【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
式
【化１】
2016509084.tif 000001
［式中、
Ｑは、Ｏ又はＮであり、
Ｒ１０は、Ｈ又はＣＨ３であり、
Ｒ１１は、加水分解性シリル基を含む有機基であり、
Ｒ１２は、Ｈ又はＣＨ３であり、
Ｐは、
【化２】
2016509084.tif 000002
である
（式中、
Ｒ１は、Ｈ、アルキル基、アリール基、及びそれらの組み合わせから選択され、
Ｒ２は、アルキル基、アリール基、それらの組み合わせ、及びＲｆ−Ｙ−（ＣＨ２）ｘ−基から選択され、
Ｒｆは、パーフルオロアルキル基であり、
Ｙは、−Ｓ（Ｏ）２−Ｎ（ＣＨ３）−、−Ｓ（Ｏ）２−Ｎ（ＣＨ２ＣＨ３）−、−Ｓ（Ｏ）２−Ｏ−、−Ｓ（Ｏ）２−、−Ｃ（Ｏ）−、−Ｃ（Ｏ）−Ｓ−、−Ｃ（Ｏ）−Ｏ−、−Ｃ（Ｏ）−ＮＨ−、−Ｃ（Ｏ）−Ｎ（ＣＨ３）−、−Ｃ（Ｏ）−Ｎ（ＣＨ２ＣＨ３）−、−（ＣＨ２ＣＨ２Ｏ）ｙ−、−Ｏ−、及び、−Ｏ−Ｃ（Ｏ）−ＣＨ＝ＣＨ−Ｃ（Ｏ）−Ｏ−の結合から選択され、
ｎは、２より大きい整数であり、
ｘは、少なくとも２の整数であり、並びに
ｙは、少なくとも１の整数である。）。］
で表されるモノマーを含むモノマー混合物から誘導されたコポリマー。
【請求項２】
式
【化３】
2016509084.tif 000003
［式中、
Ｑは、Ｏ又はＮであり、
Ｒ１０は、Ｈ又はＣＨ３であり、
Ｒ１１は、−Ｚ−Ｓｉ（Ｒ１３）３であり、
Ｒ１２は、Ｈ又はＣＨ３であり、
Ｒ１３は、それぞれ独立してアルキル基、アリール基、それらの組み合わせ、及び加水分解性基から選択され、
少なくとも１つのＲ１３は加水分解性基であり、
Ｚは、場合により鎖内に−Ｏ−、−Ｃ（Ｏ）−、−ＮＨ−、−Ｓ−、又はそれらの組み合わせを含む、アルキレン基、アリーレン基、及びそれらの組み合わせから選択され、
Ｐは、
【化４】
2016509084.tif 000004
である
（式中、
Ｒ１は、Ｈ、アルキル基、アリール基、及びそれらの組み合わせから選択され、
Ｒ２は、Ｒｆ−Ｙ−（ＣＨ２）ｘ−基であり、
Ｒｆは、パーフルオロ（Ｃ１〜Ｃ８）アルキル基であり、
Ｙは、−Ｓ（Ｏ）２−Ｎ（ＣＨ３）−、−Ｃ（Ｏ）−Ｏ−、−Ｃ（Ｏ）−ＮＨ−、又は−（ＣＨ２ＣＨ２Ｏ）ｙ−の結合であり、
ｎは、２０〜１００の整数であり、
ｘは、２〜２０の整数であり、及び
ｙは、１〜２０の整数である。）。］
で表されるモノマーを含むモノマー混合物から誘導されるブラシ状コポリマー。
【請求項３】
請求項１に記載のコポリマーと溶媒を含む組成物。
【請求項４】
基材の少なくとも１つの表面に、請求項３に記載の組成物を塗布することを含む、前記基材のバイオフィルム防止性を向上するための基材のコーティング方法。
【請求項５】
基材を含む物品であって、
前記基材が、少なくとも１つの表面を含み、前記表面の上に配置された請求項１に記載のコポリマーを含む層を有する、物品。
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
下記式を有する化合物、またはその塩：
【化１】
2016509051.tif 000001
。
【請求項２】
６−（ｔｅｒｔ−ブチルスルホニル）−Ｎ−（４，５−ジメチル−１Ｈ−ピラゾール−３−イル）−７−エトキシキナゾリン−４−アミンである化合物。
【請求項３】
６−（ｔｅｒｔ−ブチルスルホニル）−Ｎ−（４，５−ジメチル−１Ｈ−ピラゾール−３−イル）−７−エトキシキナゾリン−４−アミンまたはその薬学的に許容可能な塩である化合物。
【請求項４】
６−（ｔｅｒｔ−ブチルスルホニル）−Ｎ−（４，５−ジメチル−１Ｈ−ピラゾール−３−イル）−７−エトキシキナゾリン−４−アミンまたはその薬学的に許容可能な塩と、１種類以上の薬学的に許容可能な賦形剤とを含んでなる、医薬組成物。
【請求項５】
６−（ｔｅｒｔ−ブチルスルホニル）−Ｎ−（４，５−ジメチル−１Ｈ−ピラゾール−３−イル）−７−エトキシキナゾリン−４−アミンと１種類以上の薬学的に許容可能な賦形剤とを含んでなる、医薬組成物。
【請求項６】
ブドウ膜炎、インターロイキン−１変換酵素関連熱症候群、皮膚炎、急性肺傷害、２型糖尿病、関節炎、関節リウマチ、潰瘍性大腸炎、クローン病、早期発症型炎症性腸疾患、腸管外炎症性腸疾患、固形臓器移植における虚血再潅流傷害の予防、非アルコール性脂肪性肝炎、アルコール性脂肪性肝炎、自己免疫性肝炎、喘息、移植片対宿主病、全身性紅斑性狼瘡、多発性硬化症、サルコイドーシス、ブラウ症候群、早期発症型サルコイドーシス、ウェゲナー肉腫症、および間質性肺疾患から選択されるＲＩＰ２キナーゼにより媒介される疾患または障害の治療において使用するための、請求項３に記載の化合物またはその薬学的に許容可能な塩を含んでなる、医薬組成物。
【請求項７】
前記疾患または障害が、ブドウ膜炎、インターロイキン−１変換酵素関連熱症候群、ブラウ症候群、早期発症型サルコイドーシス、潰瘍性大腸炎、クローン病、ウェゲナー肉芽腫症およびサルコイドーシスから選択される、請求項６に記載の医薬組成物。
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
それを必要とする対象において、密接結合（タイトジャンクション）の恒常性（ｔｉｇｈｔ  ｊｕｎｃｔｉｏｎ  ｉｎｔｅｇｒｉｔｙ）を増加させるための、有効量のグリセロリン酸を含む組成物であって、前記対象は、日常的に運動を行っている、または運動を行うべきである、組成物。
【請求項２】
前記グリセロリン酸塩がグリセロリン酸カルシウムである、請求項１の組成物。
【請求項３】
前記組成物が、
（ｉ）前記治療上有効量のグリセロリン酸塩を含有している核；および、
（ｉｉ）前記核を覆っている腸溶性被覆剤、
を含んでいる腸溶性被覆剤を施された組成物である、請求項１または２の組成物。
【請求項４】
前記組成物の前記核および前記腸溶性被覆剤のうちの少なくとも１つが、遅延放出剤をさらに含む、請求項３の組成物。
【請求項５】
請求項１乃至４のいずれか１項に記載の組成物であって、運動に付随する、または運動によって誘発される、筋骨格（musculoskeletal）痛を軽減するために、運動に先立ち、その間、または直後に、対象に、非ステロイド系抗炎症薬が投与される、組成物。
【請求項６】
非ステロイド性抗炎症薬をさらに含む、請求項１乃至４のいずれか１項に記載の組成物。
【請求項７】
前記核が非ステロイド性抗炎症薬をさらに含む、請求項３または４の組成物。
【請求項８】
前記非ステロイド性抗炎症薬がイブプロフェンである、請求項５乃至７のいずれか１項に記載の組成物。
【請求項９】
それを必要とする対象において、セリアック病を治療するための、有効量のグリセロリン酸を含む組成物。
【請求項１０】
前記グリセロリン酸塩がグリセロリン酸カルシウムである、請求項９の組成物。
【請求項１１】
前記組成物が、
（ｉ）前記治療上有効量のグリセロリン酸塩を含有している核；および、
（ｉｉ）前記核を覆っている腸溶性被覆剤、
を含んでいる腸溶性被覆剤を施された組成物である、請求項９または１０の組成物。
【請求項１２】
前記組成物の前記核および前記腸溶性被覆剤のうちの少なくとも１つが、遅延放出剤をさらに含む、請求項１１の組成物。
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
コラーゲンを分解する方法であって、コラーゲンを、前記コラーゲンを分解するのに有効な量の少なくとも１つの低分子量疎水変性ポリマーを含む組成物に接触させることを含み、前記疎水変性低分子量ポリマーは、アクリル酸カリウム共重合体である、方法。
【請求項２】
前記低分子量疎水変性ポリマーは、前記組成物の約０．１重量％〜約１０重量％の量で前記組成物内に存在する、請求項１に記載の方法。
【請求項３】
前記低分子量疎水変性ポリマーは、約１００，０００以下の数平均分子量を有する、請求項１に記載の方法。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
(i) ビオチン結合タンパク質またはその機能的部分と；
(ii) SEQ ID NO: 190のアミノ酸配列、または免疫原性部分、と少なくとも90%の同一性を有するポリペプチドを含む、SEQ ID NO: 34のアミノ酸配列と少なくとも90%の同一性を有するアミノ酸配列を含むポリペプチドまたはその断片と
を含む融合タンパク質を含む、免疫原性組成物。
【請求項２】
ビオチン結合タンパク質がリザビジンである、請求項１に記載の免疫原性組成物。
【請求項３】
ポリペプチドが、SEQ ID NO: 34のアミノ酸配列、またはSEQ ID NO: 190のアミノ酸を含むSEQ ID NO: 34の免疫原性部分を含む、請求項１に記載の免疫原性組成物。
【請求項４】
ビオチン化多糖をさらに含む、請求項１〜3のいずれか一項に記載の免疫原性組成物。
【請求項５】
多糖が、肺炎球菌多糖である、請求項4に記載の免疫原性組成物。
【請求項６】
ビオチン化多糖が、前記融合タンパク質と親和性結合体形成している、請求項4または5に記載の免疫原性組成物。
【請求項７】
アジュバントをさらに含む、請求項１〜6のいずれか一項に記載の免疫原性組成物。
【請求項８】
医学的に使用するための、請求項１〜7のいずれか一項に記載の免疫原性組成物。
【請求項９】
肺炎球菌感染に起因する、肺炎球菌疾患、障害、および／または状態の、処置および／または予防において使用するための、請求項１〜8のいずれか一項に記載の免疫原性組成物。
【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
光反応性基を含む修飾された糖脂質。
【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
高ガラクトシル化されていることを特徴とする、抗ＨＥＲ２抗体。
【請求項２】
高フコシル化されている、請求項１記載の抗体。
【請求項３】
モノガラクトシル化Ｎ−グリカンおよび／または二ガラクトシル化Ｎ−グリカンを含む、請求項１または２記載の抗体。
【請求項４】
重鎖が配列番号１を含み、かつ軽鎖が配列番号２を含む、請求項１〜３いずれか１項記載の抗体。
【請求項５】
前記抗体がトラスツズマブである、請求項１〜４いずれか１項記載の抗体。
【請求項６】
非ヒト哺乳動物の乳房上皮細胞において産生されたものである、請求項１〜５いずれか１項記載の抗体。
【請求項７】
トランスジェニック非ヒト哺乳動物中で産生されたものである、請求項１〜６いずれか１項記載の抗体。
【請求項８】
前記非ヒト哺乳動物が、ヤギ、ヒツジ、バイソン、ラクダ、ウシ、ブタ、ウサギ、バッファロー、ウマ、ラット、マウスまたはラマである、請求項６または７記載の抗体。
【請求項９】
前記非ヒト哺乳動物がヤギである、請求項８記載の抗体。
【請求項１０】
請求項１〜９いずれか１項記載の抗体を含む組成物。
【請求項１１】
抗体の集団を含む組成物であって、
前記抗体が抗ＨＥＲ２抗体であり、および
前記集団中の前記抗体のガラクトシル化レベルが少なくとも５０％である、組成物。
【請求項１２】
前記集団中の前記抗体のガラクトシル化レベルが少なくとも６０％であるおよび／または前記抗体のフコシル化レベルが少なくとも５０％である、請求項１１記載の組成物。
【請求項１３】
前記集団中の前記抗体のガラクトシル化レベルに対する、前記集団中の前記抗体のフコシル化レベルの比が、１．０から１．４の間である、請求項１１または１２記載の組成物。
【請求項１４】
前記集団中の前記抗体の少なくとも２５％が二ガラクトシル化Ｎ−グリカンを含み、かつ前記集団中の前記抗体の少なくとも２５％がモノガラクトシル化Ｎ−グリカンを含む、請求項１１〜１３いずれか１項記載の組成物。
【請求項１５】
前記抗体の重鎖が配列番号１を含み、かつ前記抗体の軽鎖が配列番号２を含む、請求項１１〜１４いずれか１項記載の組成物。
【請求項１６】
前記抗体がトラスツズマブである、請求項１１〜１５いずれか１項記載の組成物。
【請求項１７】
前記抗体が、非ヒト哺乳動物の乳房上皮細胞において産生されたものである、請求項１１〜１６いずれか１項記載の組成物。
【請求項１８】
抗体の集団を作製する方法であって、
抗体の集団が産生されるように非ヒト哺乳動物の乳腺上皮細胞において抗体の集団を発現させる工程を含み、
前記抗体が抗ＨＥＲ２抗体であり、
前記集団中の前記抗体のガラクトシル化レベルが少なくとも５０％である、方法。
【請求項１９】
請求項１〜９いずれか１項記載の抗体または請求項１１〜１７いずれか１項記載の組成物の抗体の集団を産生する、乳腺上皮細胞。
【請求項２０】
請求項１９記載の乳腺上皮細胞を含む、トランスジェニック非ヒト哺乳動物。
【請求項２１】
癌を有する対象に投与される、請求項１０〜１７いずれか１項記載の組成物。
【手続補正書】
【提出日】平成29年2月10日(2017.2.10)
【手続補正１】
【補正対象書類名】特許請求の範囲
【補正対象項目名】全文
【補正方法】変更
【補正の内容】
【特許請求の範囲】
【請求項１】
腎嚢胞性疾患に罹患している対象の嚢胞形成、嚢胞の数又は嚢胞のサイズを低減するための医薬組成物であって、ＶＥＧＦ−Ｃポリペプチド；ＶＥＧＦ−Ｄポリペプチド；ＶＥＧＦ−Ｃポリペプチドをコードする核酸；ＶＥＧＦ−Ｄポリペプチドをコードする核酸からなるリストから選択される作用物質を含む医薬組成物。
【請求項２】
前記腎嚢胞性疾患がＰＫＤ又は嚢胞性異形成であり、前記ＰＫＤが任意にＡＲＰＫＤ又はＡＤＰＫＤである、請求項１に記載の使用される医薬組成物。
【請求項３】
前記嚢胞形成、嚢胞の数又は嚢胞のサイズの低減が、前記疾患の進行を抑制すること、腎不全の可能性もしく重症度又は腎機能の低下を防止又は軽減すること；又は腎臓のサイズ／体重の比を小さくすることである、請求項１又は２に記載の医薬組成物。
【請求項４】
前記作用物質が
（ｉ）ＶＥＧＦ−Ｃ；
（ｉｉ）ＶＥＧＦＲ−３への結合活性及びリンパ管新生活性を維持したＶＥＧＦ−Ｃの断片；
（ｉｉｉ）ＶＥＧＦ−Ｃと少なくとも７０％の同一性を共有するＶＥＧＦ−Ｃの変異体であって、ＶＥＧＦＲ−３への結合活性及びリンパ管新生活性を維持している変異体；
（ｉｖ）Ｃｙｓ１５６が異なる残基、好ましくはＳｅｒ残基によって置換されているＶＥＧＦ−Ｃ１５６であるＶＥＧＦ−Ｃの誘導体であって、ＶＥＧＦ−Ｃに対する低いＶＥＧＦＲ−２の結合親和性を有する誘導体；
（ｖ）Ｄ−アミノ酸を含むＶＥＧＦ−Ｃの誘導体、
からなるリストから選択される、請求項１〜３のいずれか１項に記載の医薬組成物。
【請求項５】
前記作用物質が
（ｉ）ＶＥＧＦ−Ｄ；
（ｉｉ）ＶＥＧＦＲ−３への結合活性及びリンパ管新生活性を維持したＶＥＧＦ−Ｄの断片；
（ｉｉｉ）ＶＥＧＦ−Ｄと少なくとも７０％の同一性を共有するＶＥＧＦ−Ｄの変異体であって、ＶＥＧＦＲ−３への結合活性及びリンパ管新生活性を維持している変異体；
（ｉｖ）Ｄ−アミノ酸を含むＶＥＧＦ−Ｄの誘導体；
からなるリストから選択される、請求項１〜３のいずれか１項に記載の医薬組成物。
【請求項６】
前記作用物質がＶＥＧＦ−Ｃである、請求項４に記載の医薬組成物。
【請求項７】
前記作用物質がＶＥＧＦ−Ｄである、請求項５に記載の医薬組成物。
【請求項８】
前記作用物質が請求項４〜７のいずれか１項で規定されたＶＥＧＦ−Ｃポリペプチド又はＶＥＧＦ−Ｄポリペプチドである作用物質をコードするヌクレオチド配列を含む核酸である、請求項１〜７のいずれか１項に記載の医薬組成物。
【請求項９】
前記核酸が、哺乳動物対象の細胞での前記作用物質をコードする配列の転写のための、ＶＥＧＦ−Ｃポリペプチド又はＶＥＧＦ−Ｄポリペプチドをコードするヌクレオチド配列に機能的に連結された、プロモーターを含む遺伝子治療ベクターである、請求項８に記載の医薬組成物。
【請求項１０】
前記ＶＥＧＦ−Ｃポリペプチド又はＶＥＧＦ−Ｄポリペプチドをコードするヌクレオチド配列が、前記作用物質の配列と共にインフレームで分泌シグナル配列もコードする、請求項９に記載の医薬組成物。
【請求項１１】
前記遺伝子治療ベクターが、アデノウイルスベクター又はアデノ随伴ウイルスベクターである、請求項９又は１０に記載の医薬組成物。
【請求項１２】
任意選択の前記対象の前記疾患の診断又は前記疾患に対する感受性の診断の後に、嚢胞の減少についての予防のために、前記対象に予防有効量投与される、請求項１〜１１のいずれか１項に記載の医薬組成物。
【請求項１３】
腎臓の標的部位に注射により直接的に投与される、請求項１〜１２のいずれか１項に記載の医薬組成物。
【請求項１４】
毎週投与される、請求項１２又は１３に記載の医薬組成物。
【請求項１５】
前記嚢胞形成、嚢胞の数又は嚢胞のサイズの低減が、嚢胞性腎疾患の別の治療法と併用され、前記別の治療法が、症状又は疾患の修飾である、請求項１〜１４のいずれか１項に記載の医薬組成物。
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
ウィンドウの表示を管理するためにコンピュータによって実施される、ウィンドウのサイズ設定及び制御方法であって、
表示領域に、制御アイコンを備えたウィンドウを提示することと、
前記制御アイコンの選択を示す第１の入力を受信することと、
前記第１の入力に応答して、前記制御アイコンに関連付けられた複数の選択可能なオプションを提示し、第１および第２の選択可能なオプションの各々を、前記制御アイコンのすぐ隣に位置付けられたオプションアイコンに対応させることと、
前記第１および第２の選択可能なオプションの中の１つの選択を示す第２の入力を受信することと、
前記第２の入力に応答して、前記ウィンドウのサイズを調整することと、を備え、前記ウィンドウのサイズを調整することが、選択された選択可能なオプションに関連付けられた方向に基づいて前記ウィンドウの２つ以上の辺のサイズを変化させることを含む、ウィンドウのサイズ設定及び制御方法。
【請求項２】
第１および第２のオプションアイコンはそれぞれ、前記制御アイコンのすぐ左隣および右隣に位置付けられる、請求項１に記載のウィンドウのサイズ設定及び制御方法。
【請求項３】
前記選択された選択可能なオプションが左方向に関連付けられ、
前記ウィンドウのサイズを調整することが、前記ウィンドウの上辺及び下辺を調整して前記ウィンドウのサイズを前記左方向に拡大することを更に含む、請求項１に記載のウィンドウのサイズ設定及び制御方法。
【請求項４】
前記選択された選択可能なオプションが右方向に関連付けられ、
前記ウィンドウのサイズを調整することが、前記ウィンドウの上辺及び下辺を調整して前記ウィンドウのサイズを前記右方向に拡大することを更に含む、請求項１に記載のウィンドウのサイズ設定及び制御方法。
【請求項５】
前記選択された選択可能なオプションが左方向に関連付けられ、
前記ウィンドウのサイズを調整することが、前記ウィンドウの左辺及び下辺を調整して、前記ウィンドウに関連付けられたアスペクト比に基づいて前記ウィンドウのサイズを変更することを更に含む、請求項１に記載のウィンドウのサイズ設定及び制御方法。
【請求項６】
前記オプションアイコンの各々が、左向きの矢印、又は右向きの矢印の１つを含む、請求項１に記載のウィンドウのサイズ設定及び制御方法。
【請求項７】
前記ウィンドウのサイズを調整することは、
前記ウィンドウをグリッドに位置合わせするために、前記ウィンドウの辺を移動させることと、
前記ウィンドウを前記グリッドに素早く移動させることと、
を更に含む、請求項１に記載のウィンドウのサイズ設定及び制御方法。
【請求項８】
前記グリッド上の第１の所定位置を通過して前記ウィンドウの辺を移動させることは、入力のレベルが、前記グリッド上の前記第１の所定位置に関連付けられた抵抗に打ち勝つことを必要とする、請求項７に記載のウィンドウのサイズ設定及び制御方法。
【請求項９】
前記グリッド上の第２の所定位置を通過して前記ウィンドウの辺を移動させることは、入力の増加したレベルが、前記グリッド上の前記第２の所定位置に関連付けられた抵抗に打ち勝つことを必要とする、請求項８に記載のウィンドウのサイズ設定及び制御方法。
【請求項１０】
ウィンドウの表示を管理するためのシステムであって、
１つ以上のプロセッサと、
前記１つ以上のプロセッサに結合されたディスプレイと、
前記１つ以上のプロセッサに結合されたコンピュータ読み取り可能媒体と、を備え、
前記コンピュータ読み取り可能媒体は、記憶された命令を含み、前記１つ以上のプロセッサによって前記命令が実行された場合、
表示領域に、制御アイコンを備えたウィンドウを提示することと、
ユーザから、前記制御アイコンの選択を示す第１の入力を受信することと、
前記第１の入力に応答して、前記制御アイコンに関連付けられた複数の選択可能なオプションを提示し、第１および第２の選択可能なオプションの各々を、左方向及び右方向の１つに対応させ、前記第１および第２の選択可能なオプションの各々を、前記制御アイコンのすぐ隣に位置付けられたオプションアイコンに対応させることと、
前記ユーザから、前記第１および第２の選択可能なオプションの中の１つの選択を示す第２の入力を受信することと、
前記第２の入力に応答して、前記ウィンドウのサイズを調整することと、を備える動作を前記１つ以上のプロセッサに実行させ、前記ウィンドウのサイズを調整することが、選択された選択可能なオプションに関連付けられた方向に基づいて前記ウィンドウの２つ以上の辺のサイズを変化させることを含む、システム。
【請求項１１】
第１および第２のオプションアイコンはそれぞれ、前記制御アイコンのすぐ左隣および右隣に位置付けられる、請求項１０に記載のシステム。
【請求項１２】
前記第１の選択可能なオプションが前記左方向に関連付けられ、
前記ウィンドウのサイズを調整することが、前記ウィンドウの上辺及び下辺を調整して前記ウィンドウのサイズを前記左方向に拡大することを更に含む、請求項１０に記載のシステム。
【請求項１３】
前記第２の選択可能なオプションが前記右方向に関連付けられ、
前記ウィンドウのサイズを調整することが、前記ウィンドウの上辺及び下辺を調整して前記ウィンドウのサイズを前記右方向に拡大することを更に含む、請求項１０に記載のシステム。
【請求項１４】
前記第１の選択可能なオプションが前記左方向に関連付けられ、
前記ウィンドウのサイズを調整することが、前記ウィンドウの左辺及び下辺を調整して、前記ウィンドウに関連付けられたアスペクト比に基づいて前記ウィンドウのサイズを変更することを更に含む、請求項１０に記載のシステム。
【請求項１５】
第１および第２のオプションアイコンはそれぞれ、左向きの矢印及び右向きの矢印を含む、請求項１０に記載のシステム。
【請求項１６】
前記ウィンドウのサイズを調整することは、
前記ウィンドウをグリッドに位置合わせするために、前記ウィンドウの辺を移動させることと、
前記ウィンドウを前記グリッドに素早く移動させることと、
を更に含む、請求項１０に記載のシステム。
【請求項１７】
請求項１〜９のいずれかに記載の方法をコンピュータに実行させる、プログラム。